(57)【要約】【課題】本発明は、釣竿、より詳しくは、順序に関わりなく連結できる竿ユニットを備えた釣竿を提供する。また、本発明の他の側面にり、本発明は、密封された内部空間にガスを注入して弾力を増加させた竿ユニットを備えた釣竿を提供する。【解決手段】本発明の釣竿は、隣り合う竿ユニットに一端部が挿入され、順に取り外し可能に連結された複数の中空円筒状の竿ユニットを備えた釣竿において、前記複数の竿ユニットのうちの少なくとも一つの竿ユニットは、一定の内径を有する基本管と、一側が前記基本管の一端部に挿入されて固定されており、他側が隣り合う竿ユニットに取り外し可能に挿入されており、一定の外径を有する連結管とを備えている。また、前記竿ユニットは、組み立てて使用するときに取り外れないように、基本管の内部面に挿入された係止具(または、結合具)と、連結管の末端に固定された結合具(または、係止具)とをさらに備えてもよい。
2006515180.tif 000002
【特許請求の範囲】
【請求項１】
隣り合う竿ユニットに一端部が挿入され、順に取り外し可能に連結された複数の中空円筒状の竿ユニットを含む釣竿において、
前記複数の竿ユニットのうちの少なくとも一つの竿ユニットは、
実質的に一定の内径を有する基本管と、
一側が前記基本管の一端部に挿入されて固定されており、他側が隣り合う竿ユニットに取り外し可能に挿入されており、実質的に一定の外径を有する連結管とを備えていることを特徴とする釣竿。
【請求項２】
前記基本管と連結管とは、一体に形成されていることを特徴とする請求項１に記載の釣竿。 
【請求項３】
前記竿ユニットは、
中空円筒状であり、前記基本管の連結管が挿入されていない他端部から挿入され、基本管の内周面に固定されており、前記他端部に向く端部から釣竿の長手方向に延びている案内チャンネルと、前記案内チャンネルから円周方向に延びている拘束チャンネルとが内周面に設けられた係止具と、
前記係止具の中空に挿入可能な形状であり、前記隣り合う竿ユニットに挿入された連結管の末端に固定されており、釣竿の半径方向に係止具の内径と外径との間の高さを有するように突出している拘束突起が形成された結合具とをさらに備えることを特徴とする請求項１または２に記載の釣竿。 
【請求項４】
前記竿ユニットは、
中空円筒状であり、前記基本管の連結管が挿入されていない他端部から挿入され、基本管の内周面に固定されており、内周面に釣竿の中心に向く半径方向に所定の高さで突出している拘束突起が形成された結合具と、
前記結合具の中空に挿入できる円柱状であり、前記隣り合う竿ユニットに挿入された連結管の末端に固定されており、端部から釣竿の長手方向に延びている案内チャンネルと、前記案内チャンネルから円周方向に延びている拘束チャンネルとが外周面に設けられた係止具とをさらに備え、
前記案内チャンネルと拘束チャンネルとは、拘束突起の高さよりも深い深さを有することを特徴とする請求項１または２に記載の釣竿。 
【請求項５】
前記基本管の外径は、前記連結管が取り付けられていない側から連結管が取り付けられた側に行くほど減少するようになっていることを特徴とする請求項３に記載の釣竿。
【請求項６】
前記竿ユニットは、
前記係止具の内側に位置するように前記基本管に固定された隔壁と、
前記基本管の内部にガスを注入するために、前記結合具の端部に固設されたガス注入手段と、
前記ガス注入手段を介して竿ユニットの内部に注入されたガスとをさらに備え、
前記隔壁と、前記連結管と、前記結合具とは、基本管の内部空間を密封するように固設していることを特徴とする請求項３に記載の釣竿。 
【請求項７】
前記竿ユニットは、
前記結合具の内側に位置するように前記基本管に固定された隔壁と、
前記基本管の内部にガスを注入するために、前記係止具の端部に固設されたガス注入手段と、
前記ガス注入手段を介して竿ユニットの内部に注入されたガスとをさらに備え、
前記隔壁と、前記連結管と、前記結合具とは、基本管の内部空間を密封するように固設していることを特徴とする請求項４に記載の釣竿。
【請求項８】
前記隔壁と前記結合具とは、一体に形成されていることを特徴とする請求項６に記載の釣竿。
【請求項９】
前記ガス注入口を介して注入されたガスは、ヘリウムガスであることを特徴とする請求項６または８に記載の釣竿。
【請求項１０】
隣り合う竿ユニットに一端部が挿入され、順に取り外し可能に連結された複数の中空円筒状の竿ユニットを備えた釣竿において、
前記複数の竿ユニットのうちの少なくとも一つの竿ユニットは、
中空の内部を密封するために、両端部の内周面に固定された一対の隔壁と、
前記隔壁のうちのいずれかに固定されたガス注入手段と、
前記ガス注入手段を介して竿ユニットの中空内部に注入されたガスとを備えることを特徴とする釣竿。
【請求項１１】
前記ガス注入口を介して注入されたガスは、ヘリウムガスであることを特徴とする 請求項１０に記載の釣竿。
【発明の詳細な説明】
【技術分野】
【０００１】
本発明は、釣竿に関し、より詳しくは、順序に関わりなく連結できる竿ユニットを備えた釣竿に関する。また、本発明の他の側面によると、本発明は、密封された内部空間にガスを注入して弾力を増加させた竿ユニットを備えた釣竿に関する。
【背景技術】
【０００２】
従来の釣竿は、組立構造により、複数の竿ユニットが取り外し可能に連結できる構造を有する釣竿(以下、「組み立て式の釣竿」という)と、 望遠鏡のようにそれぞれの竿ユニットを、隣り合う竿ユニットの内径に挿入して保管し、使用時に展開できる構造を有する釣竿(以下、「展開式の釣竿」という)とに大別される。
【０００３】
前記組み立て式の釣竿は、小直径を有する竿ユニットの一端部が大直径を有する竿ユニットの一端部に順に取り外し可能に挿入されて組み立てられる。また、それぞれの竿ユニットは、一端の直径が長手方向に減少するテーパー状となっている。すなわち、組み立て式の釣竿は、それぞれの竿ユニットを組み立てる順序が決まっている。よって、組み立て式の釣竿は、製造時に決まっている釣竿の長さを変更できず、釣りをする場所によって釣竿の長さを変更する必要がある場合に備えて複数の釣竿を準備しなければならない。また、 使用時に竿ユニットの連結部の取り付けが緩んだ場合には、連結部が取り外される恐れもあった。
【０００４】
前記展開式の釣竿も製造時に長さが決まっていることから、釣りをする場所によって釣竿の長さを変更する必要がある場合に備えて、複数の釣竿を準備しなければならず、特に、取っ手の設けられた竿ユニットの外径が大きくなり、重さが増加するという欠点があった。
【０００５】
また、組み立て式及び展開式のいずれの釣竿も取っ手の設けられた竿ユニットに対する取り付け順に竿ユニットの内径が増加するようになっており、携帯を容易にするために竿ユニットの長さを短くする場合、取っ手の設けられた竿ユニットの外径が大きくなりすぎて重さが重くなるという欠点があった。また、中空の形成されている竿ユニットの内部が連通するようになっており、釣竿が水に浸された場合、水が内部に浸透し、釣竿の重さが重くなり、弾力を低下すると、釣竿を逃したり、釣竿の一部が取り外された場合、水の中に沈んでしまうという欠点もあった。
【発明の開示】
【発明が解決しようとする課題】
【０００６】
本発明は、上記問題点に鑑みなされたものであり、本発明の一側面によると、複数の竿ユニットを順序に関わりなく連結可能にし、釣りをする場所によって所望の長さで組み立てて使用できる釣竿を提供することを目的とする。前記竿ユニットは、両端部に取り外し可能に取り付けるための手段を備えており、使用するときに組み立てられた竿ユニットが取り外されることを防止することができる。
【０００７】
また、前記竿ユニットは、両端部が密封されており、内部に水が浸透することを防止することができるし、ガスを注入した場合は弾力を向上することが可能である。
【０００８】
また、本発明は、釣竿の内部に水が浸透することを防止し、水に浸した場合にも沈まないように両端部が密封され、内部にガスの注入された竿ユニットを備えた釣竿を提供することを他の目的とする。特に、ヘリウムのような空気よりも軽いガスを注入した場合、浮力により釣竿の重さを減らし、注入ガスの圧力を調節して釣竿の弾力を調節できる釣竿を提供することを他の目的とする。
【課題を解決するための手段】
【０００９】
上記の目的を達成するため、本発明の一側面による順序に関わりなく取り外し可能に連結できる竿ユニットを備えた釣竿は、隣り合う竿ユニットに一端部が挿入され、順に取り外し可能に連結された複数の中空円筒状の竿ユニットを備えた釣竿において、前記複数の竿ユニットのうちの少なくとも一つの竿ユニットは、一定の内径を有する基本管と、一側が前記基本管の一端部に挿入されて固定されており、他側が隣り合う竿ユニットに取り外し可能に挿入されており、一定の外径を有する連結管とを備えていることを特徴とする。また、前記竿ユニットは、組み立てて使用するときに取り外れないように基本管の内部面に挿入された係止具(または、結合具)と、連結管の末端に固定された結合具(または、係止具)とをさらに備えてもよい。
【００１０】
前記係止具を基本管の内周面に固定し、結合具を連結管の末端に固定する場合に、係止具は、中空円筒状であり、端部から釣竿の長手方向に延びている案内チャンネルと、前記案内チャンネルから円周方向に延びている拘束チャンネルとが内周面に設けられており、 結合具は、係止具の中空に挿入可能な形状であり、釣竿の半径方向に係止具の内径と外径との間の高さを有するように突出している拘束突起が形成されている。結合具を基本管の 内周面に固定し、係止具を連結管の末端に固定する場合に、結合具は、中空の円筒状であり、内周面に釣竿の中心に向く半径方向に所定の高さで突出している拘束突起が形成されており、係止具は、前記結合具の中空に挿入できる円柱状であり、端部から釣竿の長手方向に延びている案内チャンネルと、前記案内チャンネルから円周方向に延びている拘束チャンネルとが外周面に設けられており、前記案内チャンネルと拘束チャンネルとは、拘束突起の高さよりも深い深さを有するようになっている。
【００１１】
本発明の順序に関わりなく取り外し可能に連結できる竿ユニットを備えた釣竿は、前記基本管の内径が一定であり、基本管に挿入された連結管の外径が一定であるため、使用するときに組み立てる順序に関わりなく組み立てが可能である。また、本発明の釣竿は、竿ユニットの両端部に固定された係止具と結合具とにより隣り合う竿ユニットに取り外し可能に取り付けられており、使用するときに取り外されなくなる。
【００１２】
また、本発明による順序に関わりなく取り外し可能に連結できる竿ユニットを備えた釣竿は、竿ユニットの強度を補強するために、前記基本管の外径を前記連結管が取り付けられていない側から連結管が取り付けられた側に行くほど減少するようにしてもよい。
【００１３】
本発明の他の側面による釣竿は、隣り合う竿ユニットに一端部が挿入され、順に取り外し可能に連結された複数の中空円筒状の竿ユニットを備えた釣竿において、前記複数の竿ユニットのうちの少なくとも一つの竿ユニットは、中空の内部を密封するために、両端部の内周面に固定された一対の隔壁と、前記隔壁のうちのいずれかに固定されたガス注入手段と、前記ガス注入手段を介して竿ユニットの中空内部に注入されたガスとを備えている。前記竿ユニットは、内径が一定である必要もなく、別の結合管を備えている必要もない。すなわち、従来の組み立て式の釣竿に使用される竿ユニットの内部にガスを注入できるように両端が密閉されており、ガスを注入するためのガス注入手段を備えている。特に、前記ガス注入口を介して注入されたガスは、ヘリウムのような空気よりも軽いガスである場合には、浮力により釣竿の重さを減らすことが可能となる。また、注入されたガスの圧力を適切に調節して釣竿の弾力を調節することが可能となる。
【００１４】
前記ガスの注入された前記竿ユニットは、順序に関わりなく組み立てできるように、内径が一定である基本管と、前記基本管に一端が挿入されており、外径が一定である連結管と、前記基本管の内周面に固定された係止具と前記連結管の末端に固定された結合具と、前記係止具の内側に位置するように前記基本管に固定された隔壁と、前記基本管の内部にガスを注入するために、前記結合具の端部に固設されたガス注入手段と、前記ガス注入手段を介して竿ユニットの内部に注入されたガスとをさらに備え、前記隔壁と、前記連結管と、前記結合具とは、基本管の内部空間を密封するように固設して構成することが好ましい。特に、前記隔壁と前記結合具とは、一体に形成することがより好ましい。
【発明を実施するための最良の形態】
【００１５】
以下、本発明の好ましい実施の形態を、添付図面に基づいて詳しく説明する。
【００１６】
図１は、本発明の一側面による順序に関わりなく連結できる竿ユニットを備えた釣竿の一実施例の組み立て状態図である。図１を参照して、本実施例の釣竿１００は、取っ手を備えた竿ユニット１１０と、順序に関わりなく取り外し可能に連結できる複数の竿ユニット１２０、１３０、１４０とを備えている。竿ユニット１４０に取り外し可能に取り付けられた竿ユニット１５０、１６０、１７０は、直径が減少するようになっており、 竿ユニット１５０の内部に挿入可能になっている展開式の釣竿である。すなわち、本実施例の釣竿１００は、組み立て式と展開式との組み合わせとなっている。
【００１７】
図２には、前記順序に関わりなく取り外し可能に連結できる竿ユニット１３０の一実施例を示している。竿ユニット１３０は、 実質的に一定の内径を有する基本管１３１と、 一側が前記基本管１３１の一端部に挿入されて固定された連結管１３２とを備える。基本管１３１と連結管１３２とは、接着剤を使用して気密を保つように密封して固定されている。前記連結管１３２の他側は、隣り合う竿ユニットに取り外し可能に挿入され、前記基本管１３１の内径と実質的に同じな外径を有している。よって、前記基本管１３１に挿入されずに露出された部分は、隣り合う竿ユニット１２０、１４０の基本管に順序に関わりなく挿入可能である。前記連結管１３２の外径は、前記基本管１３１の挿入される部分の内径と実質的に同じであるが、挿入を容易にするために、連結管１３２と基本管１３１との挿入時に接触する部分を、少しのテーパーを有するようにしてもよい。しかし、竿ユニットを順序に関わりなく連結できる程度のテーパーであれば、実質的に基本管１３１の内径と連結管１３２の外径とが同じ範疇に属する。また、前記基本管１３１と前記連結管１３２とは、一体に形成してもよい。
【００１８】
また、本実施例の竿ユニット１３０は、隣り合う竿ユニット１２０、１４０と取り付ける際に取り外れないように、取り付け手段を備えている。前記取り付け手段は、基本管１３１の内部面に挿入されて固定された係止具１３４と、連結管１３２の末端に固定された結合具１３３とである。前記係止具１３４は、中空円筒状であり、端部から釣竿の長手方向に延びている案内チャンネル１３４ａと、前記案内チャンネル１３４ａから円周方向に延びている拘束チャンネル１３４ｂとが内周面に設けられている。本実施例において、前記案内チャンネル１３４ａと、拘束チャンネル１３４ｂとは、円周面を貫通したスリット状となっているが、所定の深さを有する溝状にしてもよい。前記結合具１３３は、係止具１３４の中空に挿入できるように係止具１３４の内径よりも小さい内径を有する円柱状となっている。結合具１３３の一端には、連結管１３２の末端に固定するときに中空に挿入されるように連結管の内径と同じ内径を有する係合部１３３ｃが設けられており、係止具に挿入するための挿入部の外周面には、釣竿の半径方向に突出している一対の拘束突起１３３ａが形成されている。前記拘束突起１３３ａは、隣り合う竿ユニットの基本管に固定された係止具１３４の案内チャンネル１３４ａに案内されて拘束チャンネル１３４ｂに移動し、係止されて拘束されるように、係止具１３４の内径と外径との間の高さを有するように突出している。本実施例のように、拘束突起１３３ａの数が複数の場合、円周面に等間隔に分布させることが好ましく、これに対応する案内チャンネル１３４ａと拘束チャンネル１３３ｂとも等間隔に分布させる。本実施例の結合具１３３は、円筒状となっているが、これに限定されるものでなく、結合具の中空に挿入できる形状であれば、いずれのものであってもよい。
【００１９】
図３は、結合具１３３を基本管１３１の内周面に固定し、係止具１３４を連結管１３２の末端に固定する場合の竿ユニットの他の実施例の分離斜視図である。図３に示すように、本実施例の竿ユニットは、結合具１３３と係止具１３４との固定位置が変わることにより、 その形状が図２の実施例と少し異なる。本実施例の結合具１３３は、中空の円筒状であり、内周面に釣竿の中心に向く半径方向に所定の高さで突出している拘束突起１３３ｂが形成されている。本実施例の係止具１３４は、前記結合具１３３の中空に挿入できる円柱状であり、端部から釣竿の長手方向に延びている案内チャンネル１３４ａと、前記案内チャンネル１３４ａから円周方向に延びている拘束チャンネル１３４ｂとが外周面に設けられている。また、前記案内チャンネル１３４ａと拘束チャンネル１３４ｂとは、拘束突起の高さよりも深い深さを有するようになっている。
【００２０】
また、本実施例の竿ユニットは、図４に示すように、竿ユニットの強度を補強するために、前記基本管１３１の外径を前記連結管１３２が取り付けられた側から反対側に行くほど外径が増加するようになっている。すなわち、基本管の大径部の外径Ｄ２が小径部の外径Ｄ３よりも外観を損なわない程度に少し大きくなっている。しかし、順序に関わりなく竿ユニットを取り付けることができるように、基本管１３１の内径Ｄ１とこれに連結された連結管１３２の外径Ｄ１とは実質的に同じである。
【００２１】
また、本実施例の竿ユニット１３０は、釣竿の弾力を調節するために、竿ユニット１３０の内部にガスを注入できるように、基本管１３１の内周面に固定された係止具１３４の内側に位置するように固定された隔壁１３５と、前記基本管の内部にガスを注入するために、前記結合具の端部に固設されたガス注入手段１８０とを備えている。前記ガス注入手段１８０を介して竿ユニット１３０の内部に注入されたガス１９５が外部に漏れないように前記隔壁１３５と、前記連結管１３２と、前記結合具１３３とは、それぞれの取り付け部位がいずれも気密に取り付けられている。
【００２２】
前記ガス注入手段１８０は、図４の拡大された点線円内に示すように、結合具１３３に長手方向に形成された貫通孔に気密を保つように設けられている。本実施例のガス注入手段は、内部に長手方向にガス通路１８５ａが形成されたガス注入棒１８５と、前記ガス注入棒１８５が左右に移動可能に弾性的に支持するためのばね１８６と、ガス注入棒１８５の端部に取り付けられたシール１８９とを備える。前記ガス通路１８５ａは、ガス注入棒１８５が図の左側に移動した場合、竿ユニット１３０の内部空間と連通するように半径方向に延びている。また、結合具１３３には、前記半径方向に延びているガス通路１８５ａを閉鎖するための弁座部１３３ｅが設けられている。説明していない参照符号１３３ｆは、結合具に設けられたねじであり、参照符号１８８は、ガス注入棒の移動を制限するために、前記ねじに取り付けられたストッパーであり、参照符号１８７は、ストッパーに係止されてガス注入棒１８５の移動を制限するように 前記ガス注入棒１８５の外周面に固定された段部である。竿ユニット１３０の内部にガスを注入する際には、ガス通路１８５ａの一端にガス供給管(図示せず)を連結し、ガス注入棒１８５を押圧すると、延びているガス通路１８５ａが竿ユニット１３０の内部空間と連通され、ガスを注入することが可能となる。内部のガスを排出させようとする場合には、前記ガス注入棒をただ押せばよい。本実施例では、ガス注入口を連結口に設けているが、これに限定されるものではなく、隔壁１３５に設けてもよい。また、本実施例のガス注入手段は、一例に過ぎず、当業者にとってガスの流れを一方向に制御できる弁手段を備えたガス注入手段の様々な変更が可能であることは明らかなものである。参照符号１９０は、竿ユニットの取り付け及び取り外しを容易にするために連結管１３２に嵌合されたＯリングである。
【００２３】
図５には、本発明の他の側面による一実施例として、ガスの注入された竿ユニット２１０を備えた釣竿２００を示している。
【００２４】
本実施例の釣竿は、組み立て式の釣竿である。よって、複数の竿ユニットが隣り合う竿ユニットに順に挿入されて組み立てられている。図示のように、竿ユニット２１０は、中空の内部を密封するために、両端部の内周面に固定された一対の隔壁２１５、２１３と、前記隔壁のうちのいずれかに固定されたガス注入手段２１３とを備えている。前記竿ユニット２１０の内部空間には、前記ガス注入手段２１３を介して所定の圧力のガス２９５が注入されている。前記ガス注入手段２１３は、図４に示すように構成してもよい。本実施例の釣竿１００が図１に示す実施例の釣竿１００と異なる点は、前記竿ユニットは、基本管２１１の内径を所定のものにする必要がなく、別の結合管２１２を備えている必要もないことである。すなわち、従来の組み立て式の釣竿に使用される竿ユニットの内部にガスを注入できるように両端を密閉し、ガスを注入するためのガス注入手段１８０を設けて構成してもよいという点である。注入されるガスは制限されないが、特に、ヘリウムのような空気よりも軽いガスを適切に注入する場合には、浮力により釣竿の重さを減らすこともできる。
【００２５】
本発明によれば、ガス注入口を介してガスを注入し、竿ユニット２１０の内部の圧力を大気圧よりも高くして、釣竿全体の剛性を大きくすることが可能である。特に、複数のガスの注入された竿ユニットで釣竿を構成し、それぞれの竿ユニットのガス注入圧力を調節すると、釣竿の剛性を部分的に微細に調節することが可能となる。
【００２６】
本発明の一側面によれば、両端部に取り外し可能に取り付けるための手段を備え、複数の竿ユニットを順序に関わりなく連結できる竿ユニットを備えた釣竿を提供し、釣りをする場所によって所望の長さで組み立てて使用できる釣竿を提供する。また、前記取り付け手段により使用時に組み立てられた竿ユニットが取り外されることも防止することが可能となる。
【００２７】
また、本発明によれば、両端部が密封されており、ガスを注入できる竿ユニットを提供し、内部に水が浸透することを防止できるし、ガスを注入した場合は、弾力を向上することが可能である。
【００２８】
以上のように、上記実施の形態を参照して詳細に説明され図示されたが、本発明は、これに限定されるものでなく、このような本発明の基本的な技術的思想を逸脱しない範囲内で、当業界の通常の知識を有する者にとっては、他の多くの変更が可能であろう。また、本発明は、添付の特許請求の範囲により解釈されるべきであることは言うまでもない。
【図面の簡単な説明】
【００２９】
図１は、本発明の一側面による順序に関わりなく連結できる竿ユニットを備えた釣竿の一実施例を示す組み立て状態図である。
図２は、図１の竿ユニットを示す展開斜視図である。
図３は、図１の竿ユニットの他の実施例の展開斜視図である。
図４は、図２の竿ユニットが取り付けられた状態を説明するための概略断面図である。
図５は、本発明の他の側面によるガスの注入された竿ユニットを備えた釣竿の組み立て及び取り付け状態図である。
【図１】
2006515180.tif 000003
【図２】
2006515180.tif 000004
【図３】
2006515180.tif 000005
【図４】
2006515180.tif 000006
【図５】
2006515180.tif 000007
【国際調査報告】
2006515180.tif 000008
2006515180.tif 000009